(57)【要約】      （修正有）【課題】車椅子を利用する着用者に着物を着用させる方法を提供する。【解決手段】着物の背中心を、車椅子の背面の左右中心にあわせ、着物の裾線を車椅子のフットレストの高さに合わせて、着物を、車椅子に広げて置くステップと、長襦袢または半衿を着用した着用者が車椅子に着席した後、長襦袢または半衿の衿と、着物の衿を合わせるステップと、着物の下前および上前を、それぞれ衿幅を決めて余分を内側に折り上げて、下前および上前のそれぞれの衿を、着物ベルトで止めて、伊達締めを結ぶステップと、胴巻き部を残した帯で、飾り帯あげに包んだ帯枕を内包して、背部を形づけるステップと、形づけた背部を、着用者と車椅子の背との間に納め、胴巻き部を着用者に巻いて帯板を入れ、帯端を後に回して余分は着物の背側と帯の間に入れ込むステップと、飾り帯あげと帯締めを締めるステップを備える。【選択図】図１
2019214818.tif 000002
【特許請求の範囲】
【請求項１】
車椅子を利用する着用者に着物を着用させる方法であって、
着物の背中心を、車椅子の背面の左右中心にあわせ、前記着物の裾線を車椅子のフットレストの高さに合わせて、前記着物を、前記車椅子に広げて置くステップと、
長襦袢または半衿を着用した着用者が前記車椅子に着席した後、長襦袢または半衿の衿と、前記着物の衿を合わせるステップと、
前記着物の下前および上前を、それぞれ衿幅を決めて余分を内側に折り上げて、下前および上前のそれぞれの衿を、着物ベルトで止めて、伊達締めを結ぶステップと、
胴巻き部を残した帯で、飾り帯あげに包んだ帯枕を内包して、背部を形づけるステップと、
形づけた前記背部を、着用者と車椅子の背との間に納め、前記胴巻き部を着用者に巻いて帯板を入れ、帯端を後に回して余分は着物の背側と帯の間に入れ込むステップと、
前記飾り帯あげと帯締めを締めるステップ
を備えることを特徴とする着物を着用する方法。
【発明の詳細な説明】
【技術分野】
【０００１】
本発明は、車椅子を利用する着用者に着物を着用させる方法に関する。
【背景技術】
【０００２】
日本を代表する伝統文化である着物は、身体にぴったりと合った洋服とは違い、誰でも着ることができる柔軟性がある。着用者は、立位状態で着物を着用するのが一般的である。着付け者に着用してもらう場合も、着用者は立位状態で着物を着用する。
【０００３】
また着物の衿先に留め、着装が乱れないようにする着物ベルトが普及している（非特許文献１参照）。
【先行技術文献】
【非特許文献】
【０００４】
【非特許文献１】コーリン株式会社、"コーリンベルトデラックス"、［online］、［令和１年６月１４日検索］、インターネット〈URL：https://www.korin-belt.com/korin/deluxebelt/〉
【発明の概要】
【発明が解決しようとする課題】
【０００５】
しかしながら、足が不自由な車椅子の利用者が着物を着用する場合、立位状態になることが難しい。その結果、車椅子の利用者は、着物を着て成人式に出席したい、着物で娘の結婚式に出席したいなど、着物が好適な場面があっても、その場に出ることを諦めてしまう場合があった。
【０００６】
従って本発明の目的は、車椅子を利用する着用者に着物を着用する方法を提供することである。
【課題を解決するための手段】
【０００７】
上記課題を解決するために、本発明の特徴は、車椅子を利用する着用者に着物を着用させる方法である。着物を着用させる方法は、着物の背中心を、車椅子の背面の左右中心にあわせ、着物の裾線を車椅子のフットレストの高さに合わせて、着物を、車椅子に広げて置くステップと、長襦袢または半衿を着用した着用者が車椅子に着席した後、長襦袢または半衿の衿と、着物の衿を合わせるステップと、着物の下前および上前を、それぞれ衿幅を決めて余分を内側に折り上げて、下前および上前のそれぞれの衿を、着物ベルトで止めて、伊達締めを結ぶステップと、胴巻き部を残した帯で、飾り帯あげに包んだ帯枕を内包して、背部を形づけるステップと、形づけた背部を、着用者と車椅子の背との間に納め、胴巻き部を着用者に巻いて帯板を入れ、帯端を後に回して余分は着物の背側と帯の間に入れ込むステップと、飾り帯あげと帯締めを締めるステップを備える。
【発明の効果】
【０００８】
本発明によれば、車椅子を利用する着用者に着物を着用する方法を提供することができる。
【図面の簡単な説明】
【０００９】
【図１】本発明の実施の形態に係る着物の着用方法を説明するフローチャートである。
【図２】着物の着用方法を説明する図である（その１）。
【図３】着物の着用方法を説明する図である（その２）。
【図４】着物の着用方法を説明する図である（その３）。
【図５】帯の成形を説明するフローチャートである。
【図６】帯の成形を説明する図である（その１）。
【図７】帯の成形を説明する図である（その２）。
【図８】婚礼衣装の着用方法を説明する図である。
【図９】紋服の着用方法を説明する図である。
【図１０】形づけた帯を説明する図である。
【図１１】アイコー枕と、アイコー枕を用いて形づけた帯を説明する図である。
【図１２】草履を説明する図である。
【図１３】半衿の一例を説明する図である。
【発明を実施するための形態】
【００１０】
次に、図面を参照して、本発明の実施の形態を説明する。以下の図面の記載において、同一または類似の部分には同一または類似の符号を付している。
【００１１】
（着用方法）
図１を参照して、本発明の実施の形態において、着物１を着用させる方法を説明する。着物１の着用者は、例えば車椅子２の利用者であって、着物１を着用する間、立位状態を維持することが困難な者である。本発明の実施の形態では、帯４に袋帯を用い、二重太鼓結びを形成する場合を説明する。
【００１２】
図１の処理に先駆けて、着付けで用いる各物を用意する。ここでは、着物１、長襦袢、袋帯、帯締め６、帯板、太めの紐、帯枕、飾り帯あげ５、着物ベルト３、クリップ７、末広等である。タオルをたたんだものを、帯枕の代わりに用いても良い。
【００１３】
まずステップＳ１において、着付け者は、前準備を行う。ここでは、着物１等がタイヤに直接触れないように、着用者が利用する車椅子２のタイヤを、図３（ａ）等に示すように、タイヤカバー９等で覆う。また、帯４を巻けば良い状態まで、作る。着用者は、長襦袢を着用する。着用者は、アウターに響かない洋服に半衿を着用するだけでも良い。
【００１４】
ステップＳ２において着付け者は、着物１を、車椅子２に広げて置く。図２（ａ）に示すように、着物１の背中心を、車椅子２の背面の左右中心にあわせる。着物１の裾線を車椅子２のフットレスト２１の高さに合わせる。着物１の身幅が狭い場合、下半身部分の背中心を、少し左側に寄せる。これにより上前１２がしっかり重なる。図２（ｂ）に示すように、長襦袢を着用した着用者が車椅子２に着席する。図２（ｃ）に示すように着付け者は、着用者の腕に着物１の袖を通し、着用者に着物１を羽織らせ、着物１の下前１１および上前１２を重ねる。ステップＳ３において着付け者は、長襦袢の衿と、着物１の衿を合わせ、重ねた衿を、クリップ７で留める。
【００１５】
ステップＳ４において着付け者は、図１（ｄ）に示すように下前１１の衿幅を決める。ステップＳ５において着付け者は、裾線を決めて、図３（ａ）に示すようにウエスト位置でおはしょりの余分１３を内側に折り上げる。ステップＳ６において着付け者は、図３（ｂ）に示すように、下前１１を着物ベルト３の一方で止めて、図３（ｃ）に示すように、着物ベルト３を身八つ口から背中に回す。
【００１６】
ステップＳ７において着付け者は、図３（ｄ）に示すように、上前１２の衿幅を決めて、余分１４を内側に折り上げ、着物ベルト３のもう一方で、止める。このとき着付け者は、おはしょりを整えた後、伊達締め（太めの紐）で結び、着物１の胸もとを押さえる。
【００１７】
次に、着付け者は、帯４を着用者に巻く。このとき帯４は、後述の方法により帯４が形づけられている。ステップＳ８において着付け者は、図４（ａ）に示すように、帯４の背部４１を、着用者と車椅子２の背との間に納める。ステップＳ９において着付け者は、図４（ｂ）に示すように、帯４の胴巻き部４２を着用者に巻いて帯板を入れ、帯端を後に回して余分は着物１の背側と帯４の間に入れ込む。ステップＳ１０において着付け者は、図４（ｄ）に示すように、胴帯を押さえて、飾り帯あげ５および帯締め６を締めて、形づける。その後着付け者は、クリップ７を外して全体を整え、末広を帯４にさす。
【００１８】
このように、車椅子２に着物１を準備することにより、車椅子２の利用者でも、着席状態で着物１を着用することが可能になる。また着物ベルト３を活用することで、着用者の締め付けを軽減し、時間の短縮、見た目の美しさ、着脱の単純化を実現することができる。
【００１９】
また、上記着付けの後、腰に紐を１本結ぶことで、着用者は、立位することも可能である。決められた条件が整えば立位状態ができる着用者が、来客を見送りたい場合などに好適である。
【００２０】
（帯の形づけ）
着付け者は、着物１の着用に先駆けて、帯４の背部４１を成形する。着付け者は、胴巻き部４２を残した帯４で、飾り帯あげ５に包んだ帯枕を内包して、背部４１を形づける。
【００２１】
ステップＳ５１において着付け者は、図６（ａ）に示すように、帯４のたれ先４３から手幅２つ計り、飾り帯あげ５に包んだ帯枕を当てる。ここで「手幅」は、手を広げた際の親指から中指までの幅である。ステップＳ５２において着付け者は、図６（ｂ）に示すように、帯山４４の上に帯４を二重に重ねる。このとき帯枕の上に重なる帯の長さが、手幅２つ半強になる。この帯４を重ねた部分が、背部４１となる。
【００２２】
ステップＳ５３において着付け者は、図６（ｃ）に示すように、帯山４４の上に重なった帯４を、帯山４４から手幅１つ半で内側に折り上げ、クリップ７で止める。ステップＳ５４において着付け者は、帯山４４を持って裏に返す。ステップＳ５５において着付け者は、図６（ｄ）に示すように、帯４の裏を三角に整えて、帯４の残り（胴巻き部４２）を横に流す。このときステップＳ５６において着付け者は、胴に巻く長さを見積もり、余分を折り返して、クリップ７で止める。
【００２３】
ステップＳ５７において着付け者は、お太鼓（背部４１）を返して表を出し、てさき４６を、図７（ａ）に示すように、お太鼓の外側から２枚目と３枚目の間に入れる。
【００２４】
ステップＳ５８において着付け者は、てさき４６をお太鼓底４５に付けて通し、図７（ｂ）に示すように、お太鼓の左右から出るて４７ａおよび４７ｂの長さを、同寸にする。ステップＳ５９において着付け者は、帯締め６の中心が、お太鼓の中央に収まるように、帯締め６を帯幅の中央に通し、クリップ７で止める。
【００２５】
このように、帯４を予め形づけることにより、車椅子２に着席した状態でも、手早く帯４を着用することができる。本発明の実施の形態において、二重太鼓で帯４を結ぶ場合を説明したが、予め帯を形づけられるものであれば、これ以外の結び方でも良い。
【００２６】
（婚礼衣装）
図８を参照して、女性用の婚礼衣装を着用する場合を説明する。図１ないし図５を参照して説明した着物１を着用する場合との差異に着目して説明する。
【００２７】
予め、車椅子２のタイヤをタイヤカバー９等で覆った後、着付け者は、車椅子２の座面に打掛１００を広げる。このとき打掛１００の裾線をフットレスト２１の高さに合わせ、背縫いを上前１２側に寄せておく。その後着付け者は、図８（ａ）に示すように、打掛１００の上に、掛下１１０を重ねて広げる。
【００２８】
長襦袢または半衿を着用した着用者が、車椅子２に着席した後、着付け者は、着用者の腕に掛下１１０の袖を通す。着付け者は、衿を決め、下前を内側に折り上げておはしょりをつくり、着物ベルト３の片側で押さえる。着付け者は、着物ベルト３を身八つ口の内側から外に出し、後胴部を回し、整えた上前の衿先とおはしょりを、着物ベルト３のもう一方で押さえる。
【００２９】
掛下帯１２０は、図８（ｃ）に示すように、正面部分を胴に巻き付けるものを用意する。掛下帯１２０は、帯幅が狭く形成され、着席状態での着用に好適である。着付け者は、図８（ｃ）に示す掛下帯１２０の紐を着用者の背面で結ぶ。このとき結びめの背への当たりを考慮する。着付け者は、掛下帯１２０が結ばれた正面を整え、懐紙入れと懐剣を付ける。図８（ｄ）に示すような掛下姿ができあがる。さらに打掛１００に両袖を通し、掛下１１０同様に、着物ベルト３を使って、下前１１および上前１２を押さえて、整える。
【００３０】
このように、図１等に示す着物１とは異なる婚礼衣装についても、着席状態で着用することが可能になる。
【００３１】
（紋服）
図９を参照して、男性用の紋服を着用する場合を説明する。図１ないし図５を参照して説明した着物１を着用する場合との差異に着目して説明する。
【００３２】
予め、車椅子２のタイヤをタイヤカバー９等で覆った後、着付け者は、車椅子２の座面に、紋服の袴１６０を広げる。紋服の袴１６０は、左右脇の縫い目を解き、オープンファスナーで袴１６０の脇上方が開閉可能に形成した。着付け者は、このような袴１６０を、図９（ａ）に示すように、例えば左脇を大きく開いて車椅子２の座面に広げて配置する。袴１６０の裾線を、フットレスト２１の高さに合わせる。袴１６０の上に、長着１７０を重ねて広げる。
【００３３】
半衿を付けた着用者が、車椅子２に着席した後、着付け者は、図９（ｃ）に示すように、着物１の衿を整え、下前１１を着物ベルト３で押さえ、上前１２の脇の開きに着物ベルト３を通して、上前１２の衿に挟む。図９（ｄ）に示すように、角帯１８０を結ぶ。帯の結びによる負担軽減のため、帯を巻いて挟むだけでも良い。その後着付け者は、袴１６０の脇のオープンファスナーを閉め、袴１６０を整えて紐を結び、羽織を着用する。
【００３４】
（帯の結び）
上記の例で、二重太鼓に帯２を結ぶ例を説明したが、これ以外の結び方でも良い。例えば、図１０（ａ）に示すように、振袖向きの結び方でも良いし、図１０（ｂ）に示すように、七五三の女児向きの結び方でも良い。いずれの結び方でも、胴に巻けば良い状態まで、帯の背部４１を形づける。
【００３５】
また帯を準備する際、図１１（ａ）に示すようなアイコー枕１０を使っても良い。アイコー枕は、帯枕と、帯を通す穴が設けられた土台が、一体形成されている。アイコー枕１０は、穴に帯を通しながら、帯を形づけることが可能である。図１１（ａ）の左側は大人用で、右側は子供用である。図１１（ａ）に示すアイコー枕１０を使って帯を形づけることで、図１１（ｂ）および図１１（ｃ）に示すように、図１０（ａ）および図１０（ｂ）と同様に帯を形づけることが可能になる。
【００３６】
（草履）
車椅子２を利用する着用者は、足がむくみやすいことを考慮し、鼻緒の高さにゆとりを持たせた草履を着用することが好ましい。
【００３７】
また図１２（ａ）に示すように、鼻緒にテープ状部材を備える草履を着用することが好ましい。図１２（ｂ）に示すように、着用者の足首に、テープ状部材を結びつける。これにより、草履と足とが一体となるので、着用者は違和感を覚えにくい。また鼻緒の高さにゆとりを持った草履を着用しても、草履が脱げにくい。
【００３８】
またテープ状部材を着物１に隠れるように配設することで、第三者から見ても、テープ状部材の利用がわかりにくい。着用者に精神的な負担をかけることを軽減することができる。
【００３９】
（半衿）
本発明の実施の形態に係る着物１の着用方法において、一般的な半衿を用いる場合を説明したが、図１３（ａ）に示すアイコー衿８を用いても良い。図１３（ａ）に示すアイコー衿８は、半衿の衣紋部分に背布８２が設けられ、背布８２に胸布８３が設けられる。胸布８３は、面ファスナーが設けられる。なお、一般的に、「アイコー衿」は半衿を指す場合もある。
【００４０】
半衿部８１を一般的な半衿と同様に着用し、背布８２を、衣紋から下方に流して装着する。背布８２を下方に引いて、好みの衣紋を形づける。その後、図１３（ｂ）に示すように、胸布８３を胴に回して面ファスナーで留め、背布８２を下方に引いた状態を固定する。
【００４１】
このようなアイコー衿８は、スピーディーに半衿を着用することができ、かつ着崩れしにくい効果がある。
【００４２】
（その他の実施の形態）
上記のように、本発明の実施の形態によって記載したが、この開示の一部をなす論述および図面はこの発明を限定するものであると理解すべきではない。この開示から当業者には様々な代替実施の形態、実施例および運用技術が明らかとなる。
【００４３】
本発明はここでは記載していない様々な実施の形態等を含むことは勿論である。従って、本発明の技術的範囲は上記の説明から妥当な特許請求の範囲に係る発明特定事項によってのみ定められるものである。
【符号の説明】
【００４４】
１  着物
２  車椅子
３  着物ベルト
４  帯
５  飾り帯あげ
６  帯締め
７  クリップ
８  アイコー衿
９  タイヤカバー
１０  アイコー枕
１１  下前
１２  上前
１３、１４  余分
２１  フットレスト
４１  背部
４２  胴巻き部
４３  たれ先
４４  帯山
４５  お太鼓底
４６  てさき
４７ａ、４７ｂ  て
８１  半衿部
８２  背布
８３  胸布
１００  打掛
１１０  掛下
１２０  掛下帯
１６０  袴
１７０  長着
１８０  角帯
【図１】
2019214818.tif 000003
【図２】
2019214818.tif 000004
【図３】
2019214818.tif 000005
【図４】
2019214818.tif 000006
【図５】
2019214818.tif 000007
【図６】
2019214818.tif 000008
【図７】
2019214818.tif 000009
【図８】
2019214818.tif 000010
【図９】
2019214818.tif 000011
【図１０】
2019214818.tif 000012
【図１１】
2019214818.tif 000013
【図１２】
2019214818.tif 000014
【図１３】
2019214818.tif 000015